(57)【要約】【課題】データ入力オプションに直接導き、使用者が具体的に操作できる改良されたユーザーインターフェースを含む測定器を提供すること。【解決手段】分析物試験装置にデータを入力する方法であって、前記分析物試験装置を用いて測定するステップと、前記分析物試験装置のディスプレイを用いて前記測定値の結果を表示するステップと、前記分析物試験装置の入力ボタンを操作するステップであり、前記分析物試験装置が入力ボタンと少なくとも１個のスクロールボタンを含むステップと、前記スクロールボタンを用いて複数のデータマーカーの１個を選択するステップと、選択した前記データマーカーが前記結果と関連するように前記結果をメモリに保存するステップとを含む方法である。【選択図】図１０
2008526320.tif 000002
【特許請求の範囲】
【請求項１】
分析物試験装置にデータを入力する方法であって、前記分析物試験装置を用いて測定するステップと、前記分析物試験装置のディスプレイを用いて前記測定値の結果を表示するステップと、前記分析物試験装置の入力ボタンを操作するステップであり、前記分析物試験装置が入力ボタンと少なくとも１個のスクロールボタンを含むステップと、前記スクロールボタンを用いて複数のデータマーカーの１個を選択するステップと、選択した前記データマーカーが前記結果と関連するように前記結果をメモリに保存するステップとを含む方法。
【請求項２】
コメントが前記結果と選択した前記データマーカーに関連するように、入力キーを用いてコメントを入力するステップを更に含む、請求項１に記載の方法。
【請求項３】
前記複数のデータマーカーは、前記結果が食前を示す第１のデータマーカーと、前記結果が食後を示す第２のデータマーカーとを含む、請求項１に記載の方法。
【請求項４】
前記分析物試験装置が、グルコース測定器である、請求項３に記載の方法。
【発明の詳細な説明】
【技術分野】
【０００１】
本発明は、概して、分析物又は指示物質（例えば血糖、組織液又は尿）を測定する分析物測定用の測定器又はシステムに関し、より具体的には、改良されたユーザーインターフェースを組み込むかかる測定器又はシステムを使用する方法に関する。
【背景技術】
【０００２】
体液（例えば血液、プラズマ、組織液（ＩＳＦ）尿）のような流体において、分析物又は指示物質（例えばグルコース、ＨｂＡＩｃ、乳酸塩、コレステロール）を測定する計量器又は装置は、通常は使い捨ての検査センサを使用する。対象の分析物又は指示物質に特有である検査センサは、測定器又はシステムのコネクタの内に挿入でき、或いは、測定器又はシステム内から検査場所に搬送される。検査センサは、測定回路に物理的及び電気的に接続される。通常、サンプル（例えば血液、プラズマ、組織液（ＩＳＦ）又は尿）は、可溶性成分又は可溶化成分を数多く含有し、そのいずれかが、対象の分析物か指示物質となる。かかる測定器又はシステムの使用によって、利益が得られるとされる使用者群は、例えば、糖尿病患者及びその医療提供者である。
【０００３】
従来の測定器（例えば血糖測定器）の多くは、使用者が、採取日時と共に測定値を内蔵メモリに格納できる。かかる情報は、患者の医療関係者（ＨＣＰ）にとって厳格な疾病管理を処方する際に有用であるが、詳細情報を取得するためには、使用者が実施する更なるステップが必要であり、通常、見過ごされている。
【０００４】
Ｏｎｅ  Ｔｏｕｃｈ  ＵｌｔｒａＳｍａｒｔ（ＬｉｆｅＳｃａｎ  Ｉｎｃ．，Ｍｉｌｐｉｔａｓ，  Ｃａｌｉｆｏｒｎｉａから入手可能）のようないくつかの測定器は、例えば運動、健康、投薬及び食品に関連する数種類の情報を取り込み、４枚のメニュー画面のうちの１画面（特定のボタンによって、結果画面から最初に選択したメニュー画面）から入力される。
【発明の開示】
【課題を解決するための手段】
【０００５】
データ入力オプションに直接導き、使用者が具体的に操作できる改良されたユーザーインターフェースを含む測定器が提供される。かかるユーザーインターフェースは、第１の選択情報（結果を受信した直後に、検査が食前であるか又は食後であるかなど）を入力するために用いることができる。ユーザーインターフェースには、第１の選択情報を入力した後に、任意にコメントを追加する機能を含めることができる。かかるユーザーインターフェースの提供によって、使用者は検査を実施する度に、第１の選択情報を容易に取得でき、患者の血糖コントロールレベルがよく分かるようになる。結果を受信した後、使用者が第１の選択情報を直接入力できるユーザーインターフェースを設計することは、重要な情報の入力を容易化及び単純化することによって、患者の関心を大いに集めることができる。したがって、患者及び患者を管理する介護者がよく分かるように、例えば食前及び食後の情報に大いに関連するとされる情報の取得が可能である。
【発明を実施するための最良の形態】
【０００６】
図１は、本発明の一実施形態による血糖監視システムキット１０の図である。血糖監視システムキット１０には、システムボックス１１、血糖測定器１２、血糖検査ストリップのバイアル１３、穿刺装置１４、取扱説明書１５、クィックスタートガイド１６、記入済みの日誌１７、対照溶液ボトル１８及び多数のランセット１９が含まれる。血糖測定器１２には、ディスプレイ６、ＯＫボタン７、上ボタン８、下ボタン９及びディスプレイバックライト５が含まれる。
【０００７】
図１は、血糖濃度の定期検査が必要である患者に通常提供される血糖値を監視する検査キット１０を例示する。従来、かかるキットには、クィックスタートガイド１６やログブック１７と共にユーザーガイド１５が含まれる。患者は、測定結果について詳細を書き留め、血糖値に与える状況（例えば食事、運動、疾患など）の影響を理解するために、通常気分はどうかについての他の情報を更に把握するように指示されている。しかしながら、使用者の多くは、追加項目（例えばログブック１７）を携帯することが不便であると思っているため、医師にとって有用であると考えられるこれらの情報を取得できない。
【０００８】
図１に例示するように、ＯＫボタン７は、血糖測定器１２の前面にある。ＯＫボタン７は、以下の多くの機能を有する。血糖測定器１２をオン／オフするために用いる。ディスプレイバックライト５をオン又はオフにするために用いる。以下の図で概説される様々なメニューから項目を選択するために用いる。血糖測定器１２の電池を交換する際に用いる。ＯＫボタン７を押下する時間によって、様々な機能が作動する。例えば、血糖測定器１２がオフのとき、ＯＫボタン７をほぼ３秒間押下するとオンにすることができる。ＯＫボタン７をほぼ５秒間押下するとオフにすることができる。血糖測定器１２がオンのとき、ＯＫボタン７をほぼ３秒間押下すると、ディスプレイバックライト５を点灯できる。ディスプレイバックライト５は、ＯＫボタン７をほぼ２秒間押下すると消灯できる。項目は、ＯＫボタン７をほぼ３秒未満の間押下することによって、様々なメニューから選択できる。新しい電池に交換する前に、ＯＫボタン７をほぼ２秒間押下することによって、血糖測定器１２を新しい電池に交換可能な状態にすることができる。前述の時間は、概算であり、機能を区別させるために変更できる。
【０００９】
以下の図は、血糖測定器１２を示すユーザインタフェースを示す。図２、３及び４は、フローチャートでユーザーインターフェースを示し、他の図でより詳細に説明される。図２、３及び４の囲み線の外の文字は、使用者が実施する操作を表し、囲み線の中の文字は、前記動作の結果を表す。
【００１０】
図２に例示するように、測定器１２のインタフェースは、オフモード２ａから開始する。オフモード２ａの測定器に対して、使用者はオプションが２つある。第１のオプションは、検査ストリップ２ｂを挿入することである、第２のオプションは、ＯＫボタン２ｃを押下することである。使用者にオプションを２つのみを表示させることによって、ユーザーインターフェースが単純化し、使用しやすくなる。測定器を作動させるために、使用者は、ストリップを挿入するか又はＯＫボタンを押す。これは、既存の血糖測定器を使用する手順よりかなり単純である。検査を実施するために、ストリップを挿入する。データを処理するために、ＯＫボタンを押下する。
【００１１】
図２によると、使用者が第１のオプション（検査ストリップ２ｂを挿入する）を選択すると、検査実施モード２ｄとなる。このモードは、図３以降の図で詳述する。検査実施モード２ｄの間、検査ストリップ２ｇを取り除くか、或いは、測定器がタイムアウトすると、測定器は、オフモード２ｉに戻ることができる。休止２分後、測定器は、いかなるモードから自動的にオフモードに戻る。これをタイムアウトと呼ぶ。
【００１２】
使用者が（図２のＯＫボタン２ｃを押下して）第２のオプションを選択すると、測定器はメインメニューモード２ｆとなり、図４にて更に詳述する。メインメニューモード２ｆの間、メインメニューから測定器オフを選択して、検査ストリップを取り除くか、或いは、測定器がタイムアウト２ｈすると、測定器１２はオフモード２ｊに戻ることができる。
【００１３】
図３は、検査実施モードについてより詳細に示す。測定器オフモード３ａから、作動中の測定器にストリップを挿入３ｂする。血液添加画面（及び任意に対照溶液添加画面）３ｇが表示される前に、補正コード３ｆの確認するために、ディスプレイチェック画面３ｃ、スプラッシュ画面３ｄ及び補正コード画面３ｅ（例示せず）を任意に表示できる。図６は、血液添加画面を示す。この時点で使用者はボタン８を押下し、血液添加画面の代わりに対照溶液添加画面を表示させてもよい。血液又は対照溶液を添加３ｈ後、連続したカウントダウン画面３ｉを表示し、次いで、結果画面３ｋ又はエラー画面若しくは警告画面３ｊ（例示せず）を表示させてもよい。図７は、結果画面を例示する。結果画面３ｋから、検査ストリップを取り除くことによって、或いは、測定器をタイムアウト３ｎさせると、測定器をオフモード３ｐに戻すことができる。
【００１４】
本発明の実施形態において、第１のディスプレイ変更インジケータ３ｑ（例えば図７の項目５０）を使用者に表示することができる。かかるディスプレイ変更インジケータは、例えば点滅でき、使用者に特定の操作、例えば特定のボタンを押下するように指示する。この例示の実施形態において、例えば、矢印５０が点滅して指示するとおりにボタン８を押下することによって、使用者が指示メッセージに従うと、図８及び９に更に示すように、直接、食前又は食後フラグ３ｒを入力するように指示する。次いで、使用者が、食前又は食後フラグを選択し、ＯＫ３ｓを押下すると、結果画面３ｋに戻る。次に、第２のディスプレイ変更インジケータ３ｔを使用者に表示することができ、特定のボタンを押下するなどの特定の動作を再度指示する。この例示の実施形態において、下矢印のアイコン（図７の項目５２）は、点滅でき、下ボタン９を押下するように使用者に指示する。この操作によって、図１０〜１２に示すコメント選択画面３ｕを使用者に直接表示し、最近の行動又は健康状態３ｖに関連するコメントの入力を指示する。ＯＫボタン７を押下して選択すると、図１２に示すように、ディスプレイは食事フラグとコメント情報３ｗを含む結果スクリーンに戻る。食事フラグ及び／又はコメントを入力した後で、検査ストリップを取り除くか、或いは、測定器をタイムアウト３ｙさせると、測定器はオフモード３ｚに戻ることができる。
【００１５】
第１の結果画面３ｋに表示される第３のオプションは、ＯＫボタン７（ステップ３１）を押下することによって、図１３に例示すように、メインメニューモード３ｍとなる。検査ストリップを取り除くか、メインメニューから測定器オフを選択するか、或いは測定器をタイムアウトさせて、測定器をオフモード３ｚに測定器を戻す。
【００１６】
図４は、メインメニューについて更に詳細に例示する。測定器オフモード４ａからＯＫボタン７押下する４ｂと、測定器が作動する。図１３に例示すように、メインメニュー４ｇを表示する前に、ディスプレイチェック画面４ｃ及びスプラッシュ画面４ｄが、任意で表示される。ＯＫボタン４ｆを押下することによって、結果画面４ｅからメインメニュー画面４ｇを表示させることもできる。これは、図３のステップ３ｋ、３１及び３ｍで例示される。
【００１７】
メインメニュー画面４ｇを表示中、上ボタン及び下ボタン（それぞれボタン８及び９）を使用４ｊして、最新結果オプション４ｋ、全結果オプション４ｌ、結果平均オプション４ｍ及び設定オプション４ｎを表示できる。図１３は、オプション４ｋ、４ｌ、４ｍ及び４ｎを示し、図１５〜１９は、結果平均画面４ｍを例示する。
【００１８】
最新結果画面４ｋ、全結果画面４１、結果平均画面４ｍ又はセットアップ画面４ｎから、メインメニュー又は測定器オフのオプションを選択することによって、ディスプレイをメインメニュー画面４ｇ又はオフモード４ｐに戻すことができる。メインメニュー画面４ｇから、測定器は、測定器オフのオプション４ｈを選択するが、或いは、測定器をタイムアウトさせて、オフモード４ｉに戻すことができる。
【００１９】
検査ストリップを挿入するか、或いは、ＯＫボタン７を押下することによって、測定器をオンにした後、ディスプレイ６の全画素エレメントを、２、３秒間オンにして、暗い画面にすることができる。点灯していない画素エレメントは、暗視野（ピクセル故障を診断するために用いる）に対して明るい領域となる。ディスプレイチェック画面４ｃ後、スプラッシュ画面４ｄは、選択的に表示でき、製品識別及び／又は著作権記載を任意に含めることができる。スプラッシュ画面の表示は、測定器のあるモデルごとに異なってもよく、或いは、全て省略してもよい。
【００２０】
図５は、測定器１２のディスプレイ６の画面レイアウト２０の実施形態を示す。画面レイアウト２０には、ヘッダー領域３０、電池アイコン領域２２、データ表示領域２４、ページ番号領域２６、フッタ領域２７及びナビゲーションインジケータ領域２８が含まれる。ヘッダー領域３０は、ディスプレイスクリーンのタイトル及び食事フラグに用いる。電池アイコン領域２２は、バッテリ状態のアイコンを表示するために用いる。データ表示領域２４は、メニューオプション、警告メッセージ及び測定結果を表示するために用いる。画面が複数のページに分割されるときに、ページ番号領域２６はページ番号を表示するために用いる。フッタ領域２７は、選択可能なナビゲーションオプションに用いる。ナビゲーションインジケータ領域２８は、本発明の一実施例において、矢印アイコンを表示するために用いる。かかる矢印アイコンは、指示メッセージに用いることができるか、或いは、使用者に他のオプションがアクセス可能であることを示すことができ、図３に例示すように、直接データ入力画面を使用者に表示する。
【００２１】
テストモードを入力するときに、補正コード画面を任意に使用者に表示できる。（必要であれば、）測定器が正しい補正コード３ｆが設定されていることを確認後、使用者に血液添加画面３２を表示し、図６にその例を示す。血液添加画面３２には、血液添加タイトル３４、点滅表示する滴のアイコン３６及び検査ストリップのアイコン３８が含まれる。点滅表示する滴のアイコン３６は、血液添加画面３２に出現したり消滅したりして使用者の注意をひく。上ボタン８を押下するか、或いは、下ボタン９を押下すると、血液添加タイトル３４は、対照溶液添加（図示せず）に変わる。血液サンプルを分析するため、使用者は、血液添加画面３２が表示中に血液を検査ストリップ３１に添加する。同様に、対照溶液検査を実施するため、使用者は、対照溶液添加画面が表示中に、対照溶液を検査ストリップ３１に添加する。測定器１２がオンにされる度に、血液添加画面３２はデフォルトで表示され、対照溶液添加画面にアクセスするためには、使用者は、血液添加画面３２が表示中にボタンを押下する必要がある。
【００２２】
検査ストリップ３１を検査するため、サンプル又は対照溶液を添加した後、測定器が血糖濃度を算出する間、連続するカウントダウン画面（例示せず）を任意に表示できる。カウントダウン画面によって、使用者には、結果を表示する前に残り時間を知らせる。カウントダウン後、図７にて例示すように、測定結果画面４０が表示される。測定結果画面４０には、測定結果４２、計測単位４４、検査日付４６、試験時間４８、第１のディスプレイ変更インジケータ５０及び第２のディスプレイ変更インジケータ５２が含まれる。
【００２３】
図７に例示する測定結果画面４０では、上矢印５０及び／又は下矢印５２は、点滅でき、図３にディスプレイ変更インジケータとして記載している。測定結果画面４０が最初に表示されると、上矢印５０は点滅するが、下矢印５２は点滅しない。これによって、使用者に結果画面４０の上ボタン８の押下を促し、図８で示すように、食事フラグオプション６０を含む第１の選択情報画面に直接アクセスさせる。次いで、使用者は上ボタン８や下ボタン９用いて、食前６２フラグ又は食後６４フラグを選択する。ＯＫボタン７によって、その選択を確認し、図９に例示す結果の上部に食事フラグを表示して結果画面に戻る。図９は、食前フラグ７２を含む食前結果画面７０を示す。使用者が、食後（図８のオプション６４）を選択した場合には、食前フラグ７２が食後と置換されることになる。
【００２４】
図７に戻り、食事フラグが入力されると、上矢印５０は点滅を止め、下矢印５２は点滅（例えばフラッシュ）し始める。これにより、第２の選択情報画面へと使用者を指示する。下ボタン９を押下することによって、図１０に例示す第１のコメント選択画面８０が表示される。第１のコメント選択画面８０には、コメントタイトル８２、第１のコメント８４のリスト及び第１のコメントページ番号８６が含まれる。第１のコメントのリストには、コメントなし、食事量の不足、食事量の過多及び適度な運動が含まれる。上ボタン８又は下ボタン９を押下することによって、コメントのリスト上をスクロールする。使用者がリスト８４の最下位のコメントを越えて下にスクロールすると、図１１に例示す第２のコメント選択画面９０が表示され、オプション（例えば難しい運動、投薬、ストレス及び不快）を更に含めることができる。再度、上ボタン８及び下ボタン９を用いて、使用者は、コメントリスト上をスクロールできる。一番上のコメントを越えて上にスクロールすると、使用者は、第１のコメント選択画面８０に戻り、下にスクロールと、コメント（例えば気力低下、月経、休暇など）を含めることができる第３のコメント選択画面（例示せず）を使用者に表示することができる。多様なコメントオプションを含めることができるのは、当業者にとって明白であり、本願明細書に記載されるコメントに限定されない。
【００２５】
強調表示された所望のコメントは、ＯＫボタン７により選択される。これによって、図１２に例示するように、コメント９８を結果画面に「ｈａｒｄ  ｅｘｅｒｃｉｓｅ」を追加する。一旦コメントが選択されると、フッタ領域２７の上部に表示され、インジケータ５０及び５２は点滅を止める。図１０によれば、第１のコメント８４のリストからの「ｎｏ  ｃｏｍｍｅｎｔ」８８を強調させて選択することによって、図７にて例示すように、ディスプレイは結果画面４０に戻り、「ｎｏ  ｃｏｍｍｅｎｔ」が表示され、前回入力されたコメントは削除される。
【００２６】
点滅する矢印や点滅しない矢印を用いることによって、ユーザーインターフェースは大いに単純化され、関連情報（例えば他に留意すべきであると考えられる食事フラグ及びコメント）を入力するように、指示メッセージ又はメモを使用者に提供する。任意には、ユーザーインターフェースのボタンは、発光したり、点滅したりし、特定のデータ入力画面を表示するために使用者に押下するように指示する。食事フラグ及びコメントは、特に患者の医師が測定結果を解釈するのに有用であるが、ログブックに記入されていない場合が多い。点滅表示矢印は、容易に注意を引き付け、単純なメニューオプションと、直接的なメニューオプションと組み合わせれば、食事フラグ及びコメントの使用が増える。メニューオプションに注意を引き付けるために、色、大きなフォントサイズ、図形文字及び音を含む他の技術を用いて、使用者に特定の操作を指示し、データ入力画面に直接導くことは、当業者にとって明白である。
【００２７】
図８は、第１の食事フラグ選択画面６０の図であり、測定結果画面４０から上ボタン８を用いてアクセスできる。第１の食事フラグ選択画面６０には、食前オプション６２、食後オプション６４、食事フラグタイトル６６及びフラグオプションなし６８が含まれる。食前オプション６２、食後オプション６４及びフラグオプションなし６８は、上ボタン８又は下ボタン９を押下して強調表示でき、ＯＫボタン７を用いて選択を確定できる。ＯＫボタン７を押下して食前オプション６２を確定すると、フラグは、図９に例示する結果画面に追加される。同様に、食後フラグも結果画面に追加できる。食事フラグは、選択されると、図５に例示するヘッダー領域３０に表示される。
【００２８】
ＯＫボタン７を押下して測定器をオンにすると、必要であれば、図１３に例示するように、ディスプレイチェック画面及びスプラッシュ画面は、メインメニュー画面１００を表示する前に任意に表示できる。メインメニュー画面１００には、メインメニュータイトル１０２、最新結果オプション１０４、全結果オプション１０６、結果平均オプション１０８、設定オプション１１０及び測定器オフオプション１１２が含まれる。使用者は、上ボタン８及び下ボタン９を用いて、各オプションを強調できる。ＯＫボタン７を押下することによって、強調されたオプションが選択される。例えば、最新結果オプション１０４が強調され、ＯＫボタン７の押下によって、最新結果オプション１０４が選択され、結果画面には、最後に実施した検査が表示される。検査されたサンプルや、食事フラグ又はコメントが入力されたか否かによって表示される結果画面は異なる。図７、９及び１２は、典型的な結果画面を例示する。結果画面の表示中に上ボタン８を押すと、使用者は、第１の食事フラグ選択画面６０に戻り、最新結果の食事フラグを選択して編集できる。下ボタン９を押すと、使用者は、第１のコメント選択画面８０に戻り、最新結果のコメントを選択して編集できる。結果画面を表示中にＯＫボタン７を押下すると、使用者は、図１３に例示するメインメニュー画面１００に戻る。
【００２９】
メインメニュー画面１００から、図１３にて例示するように、下ボタン９を用いて全結果オプション１０６を強調表示できる。ＯＫボタン７を押下して全結果オプション１０６を確定し、例えば、図１４に例示する全結果画面を表示する。各全結果画面には、測定結果は４例以下表示でき、ページ情報１３８を追加して、表示されるページを追加すれば５００例以下の測定結果に対応でき、新しい順に並べることもできる。
【００３０】
図１４は、全結果画面１２０を例示し、全結果タイトル１２２、測定単位ディスプレイ１２４、検査日付カラム１２６、試験時間カラム１２８、測定結果カラム１３０、コメントカラム１３２、食事フラグカラム１３４、ページ番号１３８及びメニューオプション１３６が含まれる。上ボタン８や下ボタン９を押下して上下にスクロールし、様々な測定結果を強調する。上ボタン８又は下ボタン９を２、３秒間押下して、１ページずつ順次スクロールする。
【００３１】
再び図１４に戻り、コメントカラム１３２のアスタリスクは、検査記録にコメントが含まれることを示す。コメントカラム１３２の「Ｃ」は、対照溶液に対して検査を実施したことを示す。食事フラグカラム１３４のプラス記号は、結果が食後であるというフラグであり、食事フラグカラム１３４のマイナス記号は、結果が食前であるというフラグである。結果が強調表示されている間にＯＫボタン７を押下すると、その検査の結果画面が表示される。図７、９及び１２は、典型的な結果画面を例示する。結果画面を表示中に、ＯＫボタン７を押下すると、使用者は、図１４に例示するように、全結果画面に戻る。メニューオプション１３６が強調表示中にＯＫボタン７を押下すると、図１３に例示するように、使用者は、メインメニュー画面１００に戻る。
【００３２】
図１６に例示する結果平均メニュー画面１５０を表示するため、使用者は、図１５に例示する結果平均オプション画面１４０の結果平均オプション１０８を強調表示し、ＯＫボタン７を押下する。図１６に例示する結果平均メニュー画面１５０には、全結果平均オプション１５２、食前平均オプション１５４、食後平均オプション１５６及び結果平均タイトル１５８が含まれる。使用者は、上ボタン８又は下ボタン９を用いて、これらのオプションのいずれかを強調表示できる。強調表示した選択は、ＯＫボタン７を押下して確定できる。
【００３３】
全結果平均オプション１５２を強調表示して、ＯＫボタン７を押下すると、図１７に例示する全結果平均画面１６０が表示される。全結果平均画面１６０には、日数カラム１６２、試験回数カラム１６４、検査平均カラム１６６、全結果平均タイトル１６８が含まれる。検査平均は、日数カラム１６２で報告する日数の間、実施した試験回数カラム１６４で報告する試験回数について計算され、表示される。全結果平均画面１６０を表示中にＯＫボタン７を押下すると、使用者は、図１６に例示する結果平均メニュー画面１５０に戻る。
【００３４】
結果平均メニュー画面１５０から、食前平均オプション１５４は、上ボタン８又は下ボタン９を用いて強調表示できる。食前平均オプション１５４が強調表示中に、ＯＫボタン７を押下すると、図１８に例示する食前平均画面１７０が表示される。食前平均タイトル１７２は、食前平均画面１７０に含まれる。図１７に例示する全結果平均画面１６０のケースにあるように、検査平均は、日数カラム１６２で報告する日数の間、実施した試験回数カラム１６４で報告する試験回数について計算され、表示される。しかしながら、この場合、検査平均は、食前に実施したとしてフラグを立てた結果に基づいている。食前平均画面１７０の表示中にＯＫボタン７を押下すると、使用者は、図１６に例示する結果平均メニュー画面１５０に戻る。
【００３５】
結果平均メニュー画面１５０から、食後平均オプション１５６は、上ボタン８又は下ボタン９を用いて強調表示できる。食後平均オプション１５６を強調表示中にＯＫボタン７を押下すると、図１９に例示する食後平均画面１８０が表示される。食後平均画面１８０に、食後平均タイトル１８２が含まれる。図１７に例示する全結果平均画面１６０のケースにあるように、検査平均は、日数カラム１６２で報告する日数の間、実施した試験回数カラム１６４で報告する試験回数について計算され、表示される。しかしながら、この場合、検査平均は、食後に実施したとしてフラグを立てた結果に基づく食後平均画面１８０を表示中に、ＯＫボタン７を押下すると、使用者は、図１６に例示する結果平均メニュー画面１５０に使用者を戻る。
【００３６】
現在利用可能な測定器は、情報（例えば朝食前、朝食後、昼食前、昼食後、夕食前及び夕食後など）を取得し、通常は、かかる情報の入力により多くのステップが必要であり、更に、通常は、列挙されるカテゴリの範囲内で平均を計算する。また、本発明のユーザーインターフェースにより提供される更なる効果は、食前又は食後のいずれかの全結果の集約することである。かかる情報は、本願明細書に記載されているディスプレイ変更インジケータによって指示され、使用者に検査ごとに単純かつ容易に入力され、患者の医療関係者に有用である。
【００３７】
図２０は、例準備メニュー画面１９０を示し、フラグ／コメント−オプション１９２が強調表示されている。フラグ／コメントオプション１９２を強調表示中に、ＯＫボタン７を押下すると、図２１に例示すフラグ／コメント設定画面が表示され、使用者に、食事及び／又はコメントフラグ機能を有効化又は無効化するオプションを提供される。図２１は、フラグ／コメント設定画面１９４を例示し、「ａｃｃｅｐｔ」１９６が強調表示されている。オプション「ａｃｃｅｐｔ」１９６の強調表示中にＯＫボタン７を押下したときに、設定状態１９８がオフに変わってもよい。食事フラグ／コメント機能は、同一手順後、再度有効化できる。
【図面の簡単な説明】
【００３８】
【図１】本発明の一実施形態による血糖監視システムキットの図である。
【図２】本発明の一実施形態による血糖測定器のユーザーインターフェースを示す第１のフローチャートである。
【図３】本発明の一実施形態による血糖測定器のユーザーインターフェースを示す第２のフローチャートである。
【図４】本発明の一実施形態による血糖測定器のユーザーインターフェースを示す第３のフローチャートである。
【図５】本発明の一実施形態による血糖測定器の画面レイアウト図である。
【図６】本発明の一実施形態による血糖測定器の血液添加画面の図である。
【図７】本発明の一実施形態による血糖測定器の測定結果画面の図である。
【図８】本発明の一実施形態による血糖測定器の食事フラグ選択画面の図である。
【図９】本発明の一実施形態による血糖測定器の食前結果画面の図である。
【図１０】本発明の一実施形態による血糖測定器の第１のコメント選択画面の図である。
【図１１】本発明の一実施形態による血糖測定器の第２のコメント選択画面の図である。
【図１２】本発明の一実施形態による血糖測定器の結果画面の図であり、食事フラグとコメントが含まれる。
【図１３】本発明の一実施形態による血糖測定器のメインメニュー画面の図であり、全結果オプションが強調表示されている。
【図１４】本発明の一実施形態による血糖測定器の全結果画面の図である。
【図１５】本発明の一実施形態による血糖測定器のメインメニュー画面の図であり、結果平均オプションが強調表示されている。
【図１６】本発明の一実施形態による血糖測定器の結果平均メニュー画面の図であり、全結果平均オプションが強調表示されている。
【図１７】本発明の一実施形態による血糖測定器の全結果平均画面の図である。
【図１８】本発明の一実施形態による血糖測定器の食前平均画面の図である。
【図１９】本発明の一実施形態による血糖測定器の食後平均画面の図である。
【図２０】本発明の一実施形態による血糖測定器の設定メニュー画面の図であり、フラグ／コメントオプションが強調表示されている。
【図２１】本発明の一実施形態による血糖測定器のフラグ／コメントオプション画面の図である。
【図１】
2008526320.tif 000003
【図２】
2008526320.tif 000004
【図３】
2008526320.tif 000005
【図４】
2008526320.tif 000006
【図５】
2008526320.tif 000007
【図６】
2008526320.tif 000008
【図７】
2008526320.tif 000009
【図８】
2008526320.tif 000010
【図９】
2008526320.tif 000011
【図１０】
2008526320.tif 000012
【図１１】
2008526320.tif 000013
【図１２】
2008526320.tif 000014
【図１３】
2008526320.tif 000015
【図１４】
2008526320.tif 000016
【図１５】
2008526320.tif 000017
【図１６】
2008526320.tif 000018
【図１７】
2008526320.tif 000019
【図１８】
2008526320.tif 000020
【図１９】
2008526320.tif 000021
【図２０】
2008526320.tif 000022
【図２１】
2008526320.tif 000023
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
ディスプレイ、ユーザーインターフェース、プロセッサ及びユーザーインターフェースボタンを有する分析物試験装置を操作する方法であって、前記分析物試験装置で分析物を測定することと、前記分析物を示す値を表示することと、前記ユーザーインターフェースボタンの１個のみを１度作動させ、前記値を表示した後に複数のユーザーにより選択可能なフラグの少なくとも１個を表示することと、少なくとも１人のユーザーにより選択可能なフラグと前記分析物を示す値を関連づけることを含む方法。
【請求項２】
前記値の表示が、前記ユーザーインターフェースボタンの１個を示すアイコンを前記ディスプレイ上で繰り返し点滅させることと、前記ユーザーインターフェースボタンの選択を促すことを含む、請求項１に記載の方法。
【請求項３】
前記関連づけが、前記ユーザーインターフェースボタンの１個を押して前記ディスプレイに表示されたフラグを選択することと、他の前記ユーザーインターフェースボタンを押し、選択された前記フラグとメモリ中の前記分析物の値を関連づけることを含む、請求項１に記載の方法。
【請求項４】
前記ユーザーインターフェースボタンが、上ボタン及び入力ボタンを含む、請求項１に記載の方法。
【請求項５】
前記ユーザーにより選択可能なフラグが、食前フラグ又は食後フラグを含む、請求項１に記載の方法。
【請求項６】
前記関連づけが、選択された前記フラグとともに前記測定の完了日時をメモリに保存することを含む、請求項１に記載の方法。
【請求項７】
前記分析物試験装置が、グルコース測定器を含む、請求項１に記載の方法。
【請求項８】
前記測定が、前記試験装置に備えられるポートに検査ストリップを挿入することと、前記検査ストリップの試験部分に血液サンプルを添加することを含む、請求項１に記載の方法。
【請求項９】
前記挿入が、前記検査ストリップに関する補正コードを促すことを含む、請求項８に記載の方法。
【請求項１０】
前記挿入が、前記ストリップが前記ポートに完全に挿入されたときに、前記試験装置を作動させることを含む、請求項８に記載の方法。
【請求項１１】
前記複数のユーザーにより選択可能なフラグのうちの１個が、コメントタイトル、複数のコメント、コメントページ番号、コメントなし、食事量の不足、食事量の過多、適度な運動、難しい運動、投薬、ストレス、疾病、低血糖状態、月経、休暇及びその組み合わせの少なくとも１種から実質的になる群から選択される、請求項３に記載の方法。
【請求項１２】
表示される複数のメニューの１種を選択することをさらに含む、請求項１１に記載の方法。
【請求項１３】
前記複数のメニューの１種が、最新結果、全結果、結果平均及び設定を促すことを含む、請求項１２に記載の方法。
【請求項１４】
別の前記複数のメニューが、全結果平均、食前平均、食後平均を促すディスプレイを含む、請求項１３に記載の方法。
【国際調査報告】
2008526320.tif 000024
2008526320.tif 000025
2008526320.tif 000026